(57)【要約】【課題】地板または板金に設けられた開口部に対して、ＮＤフィルタのひっかかり現象を起こさない光量調整装置及び撮像装置を提供する。【解決手段】光学機器は、光線通過領域の透過光量を調整するためのNDフィルタ８と、NDフィルタを移動させる駆動手段４と、 NDフィルタを貼り付けたND羽根９と、 NDフィルタとND羽根を収容するための地板１２と、地板をカバーするための板金１０と、 NDフィルタの浮きを防止するためのレール１０ｂを有する。上記地板と上記板金は、光線通過領域の開口部があり、 上記NDフィルタは、移動方向と直交する方向の端部８ａが地板あるいは板金の開口部よりも外側にあり、上記レールは、地板あるいは板金のNDフィルタ側に形成され、且つ前記地板あるいは前記板金の開口部よりも外側にあり、且つ前記NDフィルタ移動方向と直交方向の端部８ａよりも内側にある構成とする。【選択図】  図１
2014186284.tif 000002
【特許請求の範囲】
【請求項１】
光線通過領域の透過光量を調整するためのNDフィルタと、
前記NDフィルタを移動させる駆動手段と、
前記NDフィルタを貼り付けたND羽根と、
前記NDフィルタと前記ND羽根を収容するための地板と、
前記地板をカバーするための板金と、
前記NDフィルタの浮きを防止するためのレールを有し、 
前記地板と前記板金は、光線通過領域の開口部があり、
前記NDフィルタは、移動方向と直交する方向の端部が前記地板と前記板金の少なくとも一方の開口部よりも外側にあり、
前記レールは、前記地板あるいは前記板金のNDフィルタ側に形成され、
且つ前記地板あるいは前記板金の開口部よりも外側にあり、
且つ前記NDフィルタ移動方向と直交方向の端部よりも内側にある事を特徴とする光量調整装置。
【請求項２】
光線通過領域の透過光量を調整するためのNDフィルタと、
光線通過領域の開口面積を調整するための絞り羽根と、
前記絞り羽根を移動させる駆動手段と、
前記NDフィルタと前記絞り羽根を収容するための地板と、
前記地板をカバーするための板金と、
前記NDフィルタの浮きを防止するためのレールを有し、
前記地板と前記板金は、光線通過領域の開口部があり、
前記NDフィルタは、前記絞り羽根に貼り付けられており、
前記NDフィルタは、移動方向と直交する方向の端部が前記地板と前記板金の少なくとも一方の開口部よりも外側にあり、
前記レールは、前記地板あるいは前記板金のNDフィルタ側に形成され、
且つ前記地板あるいは前記板金の開口部よりも外側にあり、
且つ前記NDフィルタ移動方向と直交方向の端部よりも内側にある事を特徴とする光量調整装置。
【請求項３】
前記NDフィルタは、先端面は、撮影光学系で光軸を通過する点が、先端面の両端に対して凹となる形状で、透過率が段階的もしくは連続的に変化する領域を有している事を特徴とする請求項１又は請求項２に記載の光量調節装置。
【発明の詳細な説明】
【技術分野】
【０００１】
本発明は、ビデオカメラ、監視カメラ、デジタルカメラ等の撮像装置に用いる光量調整装置に関するものである。
【背景技術】
【０００２】
ビデオカメラやデジタルカメラ等の撮像装置には、絞り羽根を用いて絞り開口を形成し、その開口面積を変化させる事によって、撮像素子に到達する光量を調整する、光量調整装置が使用されているものがある。
【０００３】
光量調整装置としては、絞り用開口を挟み、光軸と直交する直線に沿って２枚の絞り羽根を移動させるもの（特許文献１）が使用されている。
【０００４】
また、特許文献１では、絞り開口の面積変化のみで光量調整を行うと、高輝度被写体を撮影する際に絞り開口が小さくなり、光の回折現象により光学性能の劣化が生じるため、NDフィルタなどを用いて撮像素子に到達する光量を低減する光量調整装置が提案されている。
【先行技術文献】
【特許文献】
【０００５】
【特許文献１】特開2008−003408号公報
【発明の概要】
【発明が解決しようとする課題】
【０００６】
上述した特許文献１では、光量を低減するNDフィルタが絞り羽根に貼り付けられている。しかしながら、NDフィルタの移動方向と直交する方向の端部が地板や板金に設けられた開口部よりも内側にある。したがって、NDフィルタが移動する際に、NDフィルタを収容するための地板や板金に設けられた開口部に対して、NDフィルタが浮きや反りによって侵入する事で、ひっかかり現象が発生し、動作不良となる可能性があることが課題となる。
【０００７】
そこで、本発明の目的は、NDフィルタが移動する際において、地板または板金に設けられた開口部に対して、ひっかかり現象を起こさない光量調整装置及び撮像装置を提供する事である。
【課題を解決するための手段】
【０００８】
上記目的を達成するために、本発明は、光線通過領域の透過光量を調整するためのNDフィルタと、前記NDフィルタを移動させる駆動手段と、 前記NDフィルタを貼り付けたND羽根と、前記NDフィルタと前記ND羽根を収容するための地板と、 前記地板をカバーするための板金と、 前記NDフィルタの浮きを防止するためのレールを有し、 前記地板と前記板金は、光線通過領域の開口部があり、前記NDフィルタは、移動方向と直交する方向の端部が前記地板あるいは前記板金の開口部よりも外側にあり、
前記レールは、前記地板あるいは前記板金のNDフィルタ側に形成され、且つ前記地板あるいは前記板金の開口部よりも外側にあり、且つ前記NDフィルタ移動方向と直交方向の端部よりも内側にある事を特徴とする構成とする。
【発明の効果】
【０００９】
本発明によれば、NDフィルタが移動する際において、地板または板金に設けられた開口部に対して、ひっかかり現象を起こさない光量調整装置及び撮像装置を提供する事ができる。
【図面の簡単な説明】
【００１０】
【図１】本発明の実施例１である光量調節装置の分解斜視図
【図２】実施例１における絞り開口形状と絞り羽根の構成を示す概略図
【図３】実施例１におけるＮＤフィルタと絞り開口との関係を示す正面図
【図４】実施例１におけるＮＤフィルタの各ポジションでの状態を示す正面図
【発明を実施するための形態】
【００１１】
以下、本発明の好ましい実施例について図面を参照しながら説明する。
【００１２】
［実施例１］
図１に、本実施形態における光量調整装置１の概略構成を示す。絞り開口の大きさを変更可能な光量調整装置１は、固定絞り開口１２ａが形成された絞り地板１２、開口部１０ａとレール１０ｂが形成された押え板金１０、仕切り板金１１、上絞り羽根２、下絞り羽根３と、絞りモータ４の出力軸及び、上絞り羽根２、下絞り羽根３に連結された絞り駆動アーム６を有する。
【００１３】
絞り駆動アーム６は、絞り駆動アームピン６ａを有し、上絞り羽根２に形成された上絞り羽根長穴２ａと下絞り羽根３に形成された下絞り羽根長穴３ａとそれぞれ係合している。絞りモータ４の作動により、絞り駆動アーム６が回転することによって、上絞り羽根２、下絞り羽根３が互いに反対方向に直進駆動され、両絞り羽根によって形成される絞り開口径が変化する。このような光量調整装置１は、いわゆるギロチン型の絞りとも称される。
【００１４】
また、光量調整装置１は、NDフィルタ８を備えている。NDフィルタ８は、ND羽根９に取り付けられている。５はNDフィルタ８（ND羽根９）を上絞り羽根２、下絞り羽根３とは独立で、光路に対して進退駆動するためのアクチュエータであるNDモータである。NDモータ５の出力軸には、ND駆動アーム７が連結されている。ND駆動アーム７は、ND駆動アームピン７ａを有し、ND羽根９に形成されたND羽根長穴９ａと係合している。このため、アクチュエータであるNDモータ５の作動により、ND駆動アーム７が回転し、ND羽根９が直進案内ピン１２ｂによって直進駆動される。したがってND羽根９に貼り付けられたNDフィルタ８が絞り開口面と平行に直進駆動される。
【００１５】
光量調節装置１を透過する光量は、上絞り羽根２、下絞り羽根３で形成される概ねひし形の形状を有する絞り開口の面積を変えることと、NDフィルタ８の挿入状態を変えることとの組み合わせで制御される。
【００１６】
図２は、本実施形態における、上絞り羽根２、下絞り羽根３によって形成される、絞り開口の概略構成１３、１４を示す。１３は開放時の絞り開口、１４はＮＤフィルタ８を挿入する際の絞り開口である。本実施形態では、開放時の絞り開口１３をＦ１．６、ＮＤフィルタ８を挿入する際の絞り開口１４をＦ４．０に相当する開口としている。
【００１７】
図３は、ＮＤフィルタ８の挿入状態を制御した様子をポジションＡ〜Ｄの順番に示している。また図３は、図１の矢印Ｚ方向から見た場合の正面図である。以下の説明において、上絞り羽根２、下絞り羽根３は、絞り羽根とまとめて示す。
【００１８】
ポジションＡは、絞り羽根が開放絞り開口となる固定絞り１２ａよりも外側に退避した開放状態を示す。この開放状態では、ＮＤフィルタ８は開放時の絞り開口１３の外側に退避している。
【００１９】
ポジションＢは、絞り羽根をＦ４．０に対応する絞り開口１４に向けて駆動した状態を示す。これにより光量は低下する。
【００２０】
その後、絞り開口がＦ４．０に対応する絞り開口１４に固定された状態で、ＮＤフィルタ８の挿入駆動が開始される。
【００２１】
ポジションＣは、ＮＤフィルタ８の挿入駆動開始から挿入駆動完了の間の所定の状態を示す。
【００２２】
ポジションＤは、ＮＤフィルタ８によって、Ｆ４．０に対応する絞り開口１４の全体が覆われた、ＮＤフィルタ８の挿入完了後の状態を示す。
【００２３】
本実施例では、ＮＤフィルタ８の、移動方向と直交する方向の端部８ａが抑え板金開口部１０ａよりも外側に設ける事と、抑え板金１０のＮＤフィルタ８側の面に、抑え板金開口部１０ａよりも外側にあり、ＮＤフィルタ８の移動方向と直交する方向の端部８ａよりも内側にあるレール１０ｂを設ける事によって、ＮＤフィルタ８の浮きを防止する事ができ、ひっかかり現象を回避する事ができる。
【００２４】
図４は、ＮＤフィルタ８が、移動方向と直交する方向の端部８ａが抑え板金開口部１０ａよりも外側にあり、抑え板金１０のＮＤフィルタ８側の面に、抑え板金開口部１０ａよりも外側にあり、ＮＤフィルタ８の移動方向と直交する方向の端部８ａよりも内側にあるレール１０ｂを設けた場合の、ＮＤフィルタ８の位置の様子をポジションＡ〜Ｄの順番に示している。
【００２５】
図４のポジションＣに示すように、ＮＤフィルタ８が、抑え板金開口部１０ａに挿入駆動された時、レール１０ｂがＮＤフィルタ８またはＮＤ羽根９を抑える事で、ＮＤフィルタ８またはＮＤ羽根９の浮きを抑制し、ひっかかり現象を防止している。
【００２６】
なお、本実施例では、ＮＤフィルタ８を挿入する時の絞り開口をＦ４．０とした場合について説明したが、そのＦ値は任意に選択する事ができる。
【００２７】
また、本実施例では、ＮＤフィルタ８をＮＤ羽根９に貼り付ける面を抑え板金１０側にした場合について説明したが、仕切り板金１１側にＮＤフィルタ８をＮＤ羽根９に貼り付ける様に選択する事ができる。その際、レールは仕切り板金側に設けられる。
【符号の説明】
【００２８】
１      光量調整装置
２      上絞り羽根
２ａ    上絞り羽根長穴
３      下絞り羽根
３ａ    下絞り羽根長穴
４      絞りモータ
５      ＮＤモータ
６      絞り駆動アーム
６ａ    絞り駆動アームピン
７      ＮＤ駆動アーム
７ａ    ＮＤ駆動アームピン
８      ＮＤフィルタ
８ａ    ＮＤフィルタ移動方向と直交する端部
９      ＮＤ羽根
９ａ    ＮＤ羽根長穴
１０    押え板金
１０ａ  押え板金開口部
１０ｂ  レール
１１    仕切り板金
１２    絞り地板
１２ａ  固定絞り開口
１２ｂ  直進案内ピン
１３    開放時の絞り開口
１４    ＮＤフィルタを挿入する時の絞り開口
【図１】
2014186284.tif 000003
【図２】
2014186284.tif 000004
【図３】
2014186284.tif 000005
【図４】
2014186284.tif 000006